(57)【要約】【課題】前面枠から前面パネルを誤って取り外してしまわない空気調和機の前面パネルを提供すること。【解決手段】前面パネル２の裏面には裏面パネル３を具備し、前面パネル２の開閉を行う第１のアーム７と、前面パネル２の開閉を行う電動機の駆動力を第１のアーム７へ伝える第２のアーム６とをＸ字形状に交差させて構成される開閉機構部５を備え、第１のアーム７の末端に突起部１０が設けられ、裏面パネル３に設けられたレール８の延長上に挿入穴９を設け、突起部１０を挿入穴９に挿入後、レール８に沿って突起部１０を移動させるとともに、第２のアーム６の端部に設けた貫通穴２４と裏面パネルに設けた貫通穴２３とを同軸上にし、複数の貫通穴を一つの貫通軸４で貫通させた。【選択図】図３
2012087980.tif 000002
【特許請求の範囲】
【請求項１】
空気調和機の室内ユニットの前側に取り付けられた前面パネルであって、前記前面パネルの裏面には裏面パネルを具備し、前記前面パネルの開閉を行う第１のアームと、前記前面パネルの開閉を行う電動機の駆動力を前記第１のアームへ伝える第２のアームとをＸ字形状に交差させて構成される開閉機構部を備え、前記第１のアームの末端に突起部が設けられ、前記裏面パネルに設けられたレールの延長上に挿入穴を設け、前記突起部を前記挿入穴に挿入後、前記レールに沿って前記突起部を移動させるとともに、前記第２のアームの端部に設けた貫通穴と前記裏面パネルに設けた貫通穴とを同軸上にし、前記複数の貫通穴を一つの貫通軸で貫通させたことを特徴とする室内ユニットの前面パネル。
【発明の詳細な説明】
【技術分野】
【０００１】
本発明は、空気調和機の室内ユニットの前面パネルに関する。
【背景技術】
【０００２】
従来から空気調和機には、より多くの空気を取り込むために、室内機の前面枠から前側へ迫り出す前面パネルを備えた室内機を有するものがある（例えば、特許文献１参照）。
【先行技術文献】
【特許文献】
【０００３】
【特許文献１】特開２００５−３６９９８号公報
【発明の概要】
【発明が解決しようとする課題】
【０００４】
一方、一般的な空気調和機には前側に塵埃を捕集するエアフィルターが設けられているが、使用者がエアフィルターを掃除するときには、前面枠を開いた上で、エアフィルターを取り外して、掃除を行う必要がある。このとき、前面枠を開くつもりが、前面パネルを間違って開いてしまい、前面枠から前面パネルを取り外してしまう可能性があるという課題を有していた。
【０００５】
本発明は、前記従来の課題を解決するもので、前面枠から前面パネルを誤って取り外してしまわない空気調和機の前面パネルを提供することを目的とする。
【課題を解決するための手段】
【０００６】
前記従来の課題を解決するために、本発明の室内ユニットの前面パネルは、空気調和機の室内ユニットの前側に取り付けられた前面パネルであって、前面パネルの裏面には裏面パネルを具備し、前面パネルの開閉を行う第１のアームと、前面パネルの開閉を行う電動機の駆動力を第１のアームへ伝える第２のアームとをＸ字形状に交差させて構成される開閉機構部を備え、第１のアームの末端に突起部が設けられ、裏面パネルに設けられたレールの延長上に挿入穴を設け、突起部を挿入穴に挿入後、レールに沿って突起部を移動させるとともに、第２のアームの端部に設けた貫通穴と裏面パネルに設けた貫通穴とを同軸上にし、複数の貫通穴を一つの貫通軸で貫通させたことにより、確実に前面パネルを固定することができ、誤って使用者が前面パネルを持って開こうとしても、誤って前面パネルを取り外してしまう可能性を低減することができる。
【発明の効果】
【０００７】
本発明は、前面枠から前面パネルを誤って取り外してしまわない空気調和機の前面パネルを提供することができる。
【図面の簡単な説明】
【０００８】
【図１】本発明の実施の形態１における室内ユニットの正面図
【図２】同実施の形態１における前面パネルの裏面正面図
【図３】（ａ）同実施の形態１における要部斜視図（ｂ）同実施の形態１における要部正面図
【図４】（ａ）同実施の形態１における要部斜視図（ｂ）同実施の形態１における要部斜視図（ｃ）同実施の形態１における要部斜視図
【発明を実施するための形態】
【０００９】
第１の発明の室内ユニットの前面パネルは、空気調和機の室内ユニットの前側に取り付けられた前面パネルであって、前面パネルの裏面には裏面パネルを具備し、前面パネルの開閉を行う第１のアームと、前面パネルの開閉を行う電動機の駆動力を第１のアームへ伝える第２のアームとをＸ字形状に交差させて構成される開閉機構部を備え、第１のアームの末端に突起部が設けられ、裏面パネルに設けられたレールの延長上に挿入穴を設け、突起部を挿入穴に挿入後、レールに沿って突起部を移動させるとともに、第２のアームの端部に設けた貫通穴と裏面パネルに設けた貫通穴とを同軸上にし、複数の貫通穴を一つの貫通軸で貫通させたことにより、確実に前面パネルを固定することができ、誤って使用者が前面パネルを持って開こうとしても、誤って前面パネルを取り外してしまう可能性を低減することができる。
【００１０】
以下、本発明の実施の形態について、図面を参照しながら説明する。なお、この実施の形態によって本発明が限定されるものではない。
【００１１】
（実施の形態１）
図１は本発明の実施の形態１における空気調和機の室内ユニットの正面図である。図１に示すように、本実施の形態１における室内ユニット１の前面には前面パネル２が設けられており、空気調和機の運転時には前面パネル２が前側へ迫り出すように構成されている。
【００１２】
また、図２は前面パネル２を裏側から見た裏面正面図である。図２に示すように、前面パネル２の裏側には裏面パネル３が設けられており、室内ユニット１側に設けられた電動機（図示せず）からの動力を貫通軸４に伝え、貫通軸４の回転力が裏面パネルに設けられた開閉機構部５に伝えられ、開閉機構部５がＩ字形状からＸ字形状に開いていくことによって、紙面奥側方向へ前面パネルが迫り出すように開く。
【００１３】
図３は開閉機構部５の斜視図である。図３に示すように、開閉機構部５は、支点２０を中心に第１のアーム７と第２のアーム６とが互いに交差して回転するように構成されている。図３（ｂ）に示すように、開閉機構部５は前面パネル２が閉じているときは互いに重なってＩ字形状となっているが、前面パネル２が開くときは、支点２０を中心としてＸ字形状となることによって、前面パネル２が前側へ開く。ちなみに図３（ａ）においては、紙面奥側方向が前面パネル２の設けられる方向である。
【００１４】
また、裏面パネル３には複数の貫通穴２３が同軸上となるように設けられており、第２のアーム６の一端部（上端部）にも貫通穴２４が設けられている。さらに、裏面パネル３には第１のアーム７が動作する時に第１のアーム７に設けた突起部１０が滑らかにスライドするようにレール８が設けられている。なお、レール８の端部には挿入穴９が設けられており、開閉機構部５を裏面パネル３に組み付けるときに第１のアーム７に設けられた突起部１０が挿入される。なお、突起部１０は第１のアーム７の一端部（下端部）に設けられている。
【００１５】
また、第１のアーム７の他端部（上端部）および第２のアーム６の他端部（下端部）には、前面パネル２を取り付けるための結合部２１がそれぞれ設けられている。
【００１６】
そして、室内ユニット１側に設けられている電動機の動力によって開閉機構部５はＩ字形状からＸ字形状となるが、このとき第１のアーム７の突起部１０がレール８の下端部から上端部の方向へ向かってスライドする。ここでレール８の長さは、完全にＸ字形状となった時に、突起部１０が挿入穴９まで到達しないような長さとすることによって、前面パネル２が前へ迫り出しても前面パネル２が外れることはない。
【００１７】
また、レールの幅は突起部１０の直径よりも０．１ミリメートル程度大きな幅としており、突起部１０がレール８をスライドする時に、あまりブレず、なおかつ、スムーズに動く幅としている。なお、０．１ミリメートルに限定するものではないが、突起部１０の直径よりもわずかに大きな幅とする。
【００１８】
次に、図４を用いて、開閉機構部５を裏面パネル３に組み付ける工程について説明する。図４（ａ）に示すように、まず、突起部１０を挿入穴９に挿入する。そして、図４（ｂ）に示すように、突起部１０をレール８に沿ってスライドさせて、レール８の下端部までスライドさせる。
【００１９】
次に、第２のアーム６の上端部に設けた貫通穴２４と、裏面パネル３に設けた複数の貫通穴２３とが同軸上となるようにそろえる。そして同軸上となった貫通穴２３と貫通穴２４とを同時に貫くように貫通軸４を挿入する。その結果、図４（ｃ）に示すように、裏面パネル３に開閉機構部５を組み付けることができる。
【００２０】
このように完成した前面パネルは、貫通軸４の一部に設けられたギア２６に電動機（図示せず）から動力が伝えられ、貫通軸４が回転する。そして回転する貫通軸４の力により、第２のアーム６が貫通穴２４を支点として前側へ迫り出す。
【００２１】
第２のアーム６が前側へ迫り出した結果、支点２０を中心として第１のアーム７の下端側が、第２のアーム６の下端側よりも後方へ駆動する。その結果、開閉機構部５はＸ字形状となり、前面パネル２が裏面パネル３より前へ（紙面奥側方向）迫り出す。
【００２２】
以上のように構成することで、前面パネル２が裏面パネル３に確実に固定されることができるので、使用者が誤って前面パネル２を開いてしまっても、裏面パネル３からの脱落を防ぐことができる。
【産業上の利用可能性】
【００２３】
本発明は、空気調和機の室内ユニットの前面パネル以外であっても、同構成を持つ機器に対しても利用可能である。
【符号の説明】
【００２４】
１  室内ユニット
２  前面パネル
３  裏面パネル
４  貫通軸
５  開閉機構部
６  第２のアーム
７  第１のアーム
８  レール
９  挿入穴
１０  突起部
２０  支点
２１  結合部
２３  貫通穴
２４  貫通穴
２６  ギア
【図１】
2012087980.tif 000003
【図２】
2012087980.tif 000004
【図３】
2012087980.tif 000005
【図４】
2012087980.tif 000006